(57)【要約】【課題】  用紙の伸縮、および用紙の伸縮による画像データの補正処理の必要の有無を予め認識できるようにする。【解決手段】  温度センサ１１により定着部６の温度を認識し、認識した温度による用紙の伸縮率を算出し、この温度から画像データの補正処理を行うかどうか判断する機能を実現するＣＰＵ２を備え、ＣＰＵ２は、画像データの補正処理を行うと判断した場合、算出した伸縮率から同データを補正するための変倍率を算出し、印刷処理時に使用する変倍率として新たに反映する。【選択図】  図１２
2005062576.tif 000002
【特許請求の範囲】
【請求項１】
定着部の温度を認識する温度センサと、該温度センサにより認識した温度による用紙の伸縮率を算出する伸縮率算出手段と、該伸縮率算出手段により算出された伸縮率に基づいて画像データの補正処理を行うか否かを判断する制御手段と、を備えたことを特徴とする印刷機。
【請求項２】
請求項１において、前記制御手段は、画像データの補正処理を行うと判断した場合、前記伸縮率算出手段により算出した伸縮率から画像データを補正するための変倍率を算出し、印刷処理時に使用する変倍率としてあらたに反映することを特徴とする印刷機。
【請求項３】
請求項２において、前記制御手段は、算出した変倍率をあらたに設定する前に、現在の印刷処理時に使用する変倍率を一時的に退避し、印刷後に、退避しておいた値を現在の設定値として復帰することにより、印刷前の変倍率の設定を変更せずに画像データの補正処理を実行することを特徴とする印刷機。
【請求項４】
請求項１において、印刷時に画像データの補正処理を行うか否かの判断を予め操作パネルで設定可能であることを特徴とする印刷機。
【請求項５】
請求項２において、前記制御手段は、印刷時に画像データの補正処理を行ったことをメッセージとして前記操作パネルに表示させることを特徴とする印刷機。
【請求項６】
請求項２において、前記制御手段は、印刷時に画像データの補正処理を行った旨の情報をホスト側に出力することを特徴とする印刷機。
【請求項７】
請求項２において、前記制御手段は、印刷時に画像データの補正処理を行ったことをサマリーシートに履歴として印字させるよう印刷部を制御することを特徴とする印刷機。
【請求項８】
請求項４において、前記制御手段は、設定した内容により画像データの補正処理を行うか否かの動作モードの内容を前記操作パネルに表示させることを特徴とする印刷機。
【請求項９】
請求項１において、前記制御手段は、前記温度センサにより認識した温度が異常と判断した場合は、印刷処理を行わないと判断することを特徴とする印刷機。
【請求項１０】
請求項９において、前記制御手段は、印刷処理時に印刷処理を行わないと判断した場合、当該印刷処理を中止することを特徴とする印刷機。
【請求項１１】
請求項１０において、前記制御手段は、当該印刷処理を中止したことをメッセージとして前記操作パネルに表示させることを特徴とする印刷機。
【請求項１２】
請求項１０において、前記制御手段は、当該印刷処理を中止したことをホスト側に出力することを特徴とする印刷機。
【請求項１３】
請求項１０において、前記制御手段は、当該印刷処理を中止したことをサマリーシートに履歴として印字させるよう印刷部を制御することを特徴とする印刷機。
【発明の詳細な説明】
【技術分野】
【０００１】
本発明は、印刷機（レーザープリンタ、インクジェットプリンタ、複写機、ファクシミリ等）に関するものである。
【背景技術】
【０００２】
従来、レーザープリンタ、複写機などの印刷機においては、一般にレーザー光を用いて感光体ドラム上に潜像を形成して、この潜像にトナーを付着させ、このトナーを用紙に転写することにより文字などの画像を用紙に印刷する。
また前述の通りトナーを使用する印刷機では、感光体ドラムに潜像により文字などの画像に合うトナーを付着させ用紙に転写する。そして、トナー像が転写された用紙を加熱および加圧することにより用紙にトナーを固着させる。
【特許文献１】特開２００１−１１７４７４公報
【特許文献２】特開２００１−３１８５７５公報
【特許文献３】特開２００２−９１２２８公報
【発明の開示】
【発明が解決しようとする課題】
【０００３】
しかしながらこのような従来の印刷機においては、トナー像転写後に用紙を加熱、および加圧するために、この加熱および加圧後に用紙が伸縮し、特に延びて寸法が変化する特性を持っている。そのため、印刷される画像においても本来の寸法通りに描画されない場合があり、また加熱される温度によっては印刷される画像にばらつきが生じた。
この問題を解決するために、予め前述の伸縮を予想して印刷機の印刷条件により縮小率を設定しておくことにより画像の寸法を補正することが行われる。しかしこの場合、伸縮される度合は前述の温度により異なるためその度合を予め把握するのは極めて難しかった。
また用紙の伸縮は、用紙の方向（主走査／副走査方向）により異なる場合が多い。そのため、前述の縮小率は方向によらず一様に設定した上で画像を補正（縮小）するため、方向によっては寸法が合わない場合が生じ、結果的に期待した寸法通りの画像を得ることができなかった。さらにこの場合、印刷を行う度にこのような設定を行うことになるため、多くの手間、時間を要した。
本発明は、上記に鑑みてなされたものであって、定着部の温度を温度センサにより認識できる機能を持つ印刷機において、用紙の伸縮、および用紙の伸縮による画像データの補正処理の必要の有無を予め認識できるようにした印刷機の提供を目的とする。
【課題を解決するための手段】
【０００４】
上述した課題を解決し、目的を達成するために、請求項１にかかる発明は、定着部の温度を認識する温度センサと、該温度センサにより認識した温度による用紙の伸縮率を算出する伸縮率算出手段と、該伸縮率算出手段により算出された伸縮率に基づいて画像データの補正処理を行うか否かを判断する制御手段と、を備えたことを特徴とする。
また、請求項２にかかる発明は、請求項１において、前記制御手段は、画像データの補正処理を行うと判断した場合、前記伸縮率算出手段により算出した伸縮率から画像データを補正するための変倍率を算出し、印刷処理時に使用する変倍率としてあらたに反映することを特徴とする。
また、請求項３にかかる発明は、請求項２において、制御手段は、算出した変倍率をあらたに設定する前に、現在の印刷処理時に使用する変倍率を一時的に退避し、印刷後に、退避しておいた値を現在の設定値として復帰することにより、印刷前の変倍率の設定を変更せずに画像データの補正処理を実行する印刷機を主要な特徴とする。
また、請求項４にかかる発明は、請求項１において、印刷時に画像データの補正処理を行うかどうかの判断を予め操作パネルで設定可能である印刷機を主要な特徴とする。
また、請求項５にかかる発明は、請求項２において、制御手段は、印刷時に画像データの補正処理を行ったことをメッセージとして操作パネルに表示させる印刷機を主要な特徴とする。
【０００５】
また、請求項６にかかる発明は、請求項２において、制御手段は、印刷時に画像データの補正処理を行った旨の情報をホスト側に出力する印刷機を主要な特徴とする。
また、請求項７にかかる発明は、請求項２において、制御手段は、印刷時に画像データの補正処理を行ったことをサマリーシートに履歴として印字させるよう印刷部を制御する印刷機を主要な特徴とする。
また、請求項８にかかる発明は、請求項４において、制御手段は、設定した内容により画像データの補正処理を行うか否かの動作モードの内容を操作パネルに表示させる印刷機を主要な特徴とする。
また、請求項９にかかる発明は、請求項１において、制御手段は、温度センサにより認識した温度が異常と判断した場合は、印刷処理を行わないと判断する印刷機を主要な特徴とする。
また、請求項１０にかかる発明は、請求項９において、制御手段は、印刷処理時に印刷処理を行わないと判断した場合、当該印刷処理を中止する印刷機を主要な特徴とする。
また、請求項１１にかかる発明は、請求項１０において、制御手段は、当該印刷処理を中止したことをメッセージとして操作パネルに表示させる印刷機を主要な特徴とする。
また、請求項１２にかかる発明は、請求項１０において、制御手段は、当該印刷処理を
中止した旨の情報をホスト側に出力する印刷機を主要な特徴とする。
また、請求項１３にかかる発明は、請求項１０において、制御手段は、当該印刷処理を中止したことをサマリーシートに履歴として印字させるよう印刷部を制御する印刷機を主要な特徴とする。
【発明の効果】
【０００６】
請求項１によれば、印刷処理を行う場合、定着部の温度を認識することにより、所定（目的）の温度と比較することで、用紙の伸縮、および同伸縮による画像データの補正処理の必要の有無を予め認識できる。
また、請求項２によれば、請求項１において、画像データの補正処理が必要と判断した場合、用紙の伸縮率を算出することにより、同補正処理として適切な変倍率を算出でき、同変倍率を印刷処理時に使用することにより期待する寸法通りの画像（印刷結果）を得ることができる。
また、請求項３によれば、請求項２で、画像データの補正処理を行う前に、現在の印刷処理時に使用する変倍率の設定内容を一時的に退避（コピー）し、同補正処理による印刷後に退避しておいた内容に復帰することにより、印刷前の環境（変倍率の設定）を変更せずに画像データの補正処理を実行できる。
また、請求項４によれば、請求項２で、画像データの補正処理を行うかどうか予め操作パネルで設定可能にすることにより、ユーザの判断により同補正処理を有効、または無効にすることができる。
また、請求項５によれば、請求項２で、画像データの補正処理を行ったことをメッセージとして操作パネルに表示することにより、同補正処理を行うことにより印刷されたことをユーザが認識できる。
また、請求項６によれば、請求項２で、画像データの補正処理を行ったことをメッセージとしてホスト側に出力することにより、同補正処理を行うことにより印刷されたことをホスト側でユーザが認識できる。
【０００７】
また、請求項７によれば、請求項２で、画像データの補正処理を行ったことを履歴としてサマリーシートに印刷することにより、同補正処理を行うことにより印刷されたことをユーザが認識できる。
また、請求項８によれば、請求項４で、画像データの補正処理を行うかどうか予め操作パネルで設定した内容を操作パネルに表示することにより、同補正処理を行う動作モードなのかどうかユーザが容易に認識できる。
また、請求項９によれば、請求項１で、温度センサにより認識した温度が、ある限界値を越えている場合は異常な状態と判断し印刷処理を中止することにより、定着部の温度の上昇を抑えることができ、さらに印刷機内の温度上昇も抑えることができる。
また、請求項１０によれば、請求項９で、印刷処理を中止する場合、ジョブキャンセルを実行することにより、異常な状態で起こり得る画像の劣化を防ぐことができる。
また、請求項１１によれば、請求項１０で、ジョブキャンセルを実行したことをメッセージとして操作パネルに表示することにより、同処理が実行されたことをユーザが認識できる。
また、請求項１２によれば、請求項１０で、ジョブキャンセルを実行したことをホスト側にメッセージとして出力することにより、同処理が実行されたことをホスト側でユーザが認識できる。
また、請求項１３によれば、請求項１０で、ジョブキャンセルを実行したことを履歴としてサマリーシートに印刷することにより、同処理を行ったことをユーザが認識できる。
【発明を実施するための最良の形態】
【０００８】
以下に添付図面を参照して、この発明にかかる印刷機の最良な実施の形態を詳細に説明する。
図１は、本発明の実施の形態に係る印刷機の機能ブロック図である。本印刷機は、ファームウェア(ＲＯＭ)１、ＣＰＵ２、ワークメモリ(ＲＡＭ)３、不揮発性メモリ(ＮＶＲＡＭ)４、ハードデイスク５、定着部６、印刷部７、表示部８、ホストＩ／Ｆ９、通信用Ｉ／Ｆ１０、温度センサ１１を備える。そして、これら各機能ブロックは、バスにて接続される。また、図２は、印刷時における定着部６の所定（目的）の温度（１２０度）のワークメモリ３への記録情報の一例を示す。
【実施例１】
【０００９】
ホスト（図示省略）側からデータを受信し印刷処理を行う場合、温度センサ１１により予め定着部６の温度を認識する。例えば動作例として認識した温度のワークメモリ３への記録情報を図３に示す。またこの時、認識した温度（１３０度）と図２に示す所定（目的）の温度（１３０度）とを比較する。ここで、この所定（目的）の温度は、印刷時に用紙が伸縮されないもの（目安）とする。
従って、これらの温度をＣＰＵ２にて比較することにより、画像データの補正処理が必要かどうか判断できる。つまり、温度に差異がある場合、画像データの補正処理が必要と判断する。この場合、図示の通り、目的の温度は図２より１２０度、また認識された温度は図３より１３０度である。これらの温度を比較すると、値が異なるため温度に差異があると認識する。そのため、画像データの補正処理が必要と判断する。
ここで、画像データの補正処理の動作フローを図１１、図１２に示す。図１１において、まず受信データあるか否か判断し（Ｓ１）、なければその他の処理に移行し（Ｓ７）、ある場合図１２の処理（※Ａ）を行う。図１２では、ページデータ作成済か否か判断し（Ｓ２１）、作成済ならば次処理へ作成済でないときページデータを作成する（Ｓ２２）。次いで、温度センサにより定着ユニットの温度を確認し（Ｓ２３）、目的の温度と同等か比較し（Ｓ２４）、伸縮率を算出し（Ｓ２５）、伸縮率より変倍率を求め（Ｓ２６）、この変倍率を印刷処理に反映する。（Ｓ２７）。この後、図１１に戻り、受信データを処理し（Ｓ３）、印刷の実行をするか否か判断し（Ｓ４）、実行しない時はその他の処理を行い（Ｓ８）、実行の場合は用紙の出力処理を行う（Ｓ５）。そして一時的に退避した変倍率を現在の変倍率として設定する（Ｓ６）。
こうして、実施例１では、温度センサ１１により定着部６の温度を認識し、ある所定（目的）の温度と比較し、差異があるか確認する。これにより、これらの温度に差異がある場合は、印刷時に用紙が伸縮されること、および画像データの補正処理を行う必要があることを認識できる。
【実施例２】
【００１０】
実施例１において、２つの温度により、印刷時の用紙の伸縮率を算出する。不揮発性メモリ４での同算出式の記憶内容Ｍ１の一例を図４に示す。目的の温度は図２より１２０度、また認識された温度は図３より１３０度となるため、図４の算出式の記憶内容Ｍ１により伸縮率は以下の通りとなる。
〈伸縮率〉＝（１３０÷１２０）×１００＝１０８．３３（％）
これにより伸縮率は１０８．３３％となり、ワークメモリ３に記憶される（図５）。また同算出値により、印刷後は描画される画像データも１０８．３３（％）の伸縮と判断される。しかし印刷機の特性によっては、印刷される用紙の主走査方向、および副走査方向により、同伸縮率が異なる場合がある。
従ってこの場合の各方向（主走査／副走査方向）の伸縮率を考慮し、各方向に対するある係数を反映した場合の伸縮率を得る。不揮発性メモリ４での算出式の記憶内容Ｍ２の一例を図６に示す。同式に示した通り、主走査方向の係数をα、副走査方向の係数をβとする。印刷機によっては両方向とも同等の伸縮の特性があり、この場合、同係数は同等（α＝β）となる。
動作例として、ワークメモリ３に記憶される各係数を図７（１）、（２）に示す通りの値で説明する。図６に示す記憶内容Ｍ２の算出式により、各方向の伸縮率は以下の通りとなる。
〈主走査方向の伸縮率〉＝（１３０÷１２０）×０．９５×１００＝１０２．９１６（％）
〈副走査方向の伸縮率〉＝（１３０÷１２０）×１．００×１００＝１０８．３３（％）
これにより、主走査方向の伸縮率は１０２．９１６％、副走査方向の伸縮率は１０８．３３％となる（図８（１）、（２））。印刷後は各方向により上記の通り伸縮されると判断できる。そのため、同伸縮により画像が延びるため、画像データの補正処理を行う。補正処理は上記の各方向の伸縮率から変倍率を算出し、この変倍率により印刷処理を行うこととする。
この場合、図９に示す変倍率は不揮発性メモリ４での算出式の記憶内容Ｍ３の一例により算出するものとする。従って、この場合の各変倍率は以下の通りとなる。
〈主走査方向の変倍率〉＝（１００÷１０２．９１６）×１００＝９７．１（％）
〈副走査方向の変倍率〉＝（１００÷１０８．３３）×１００＝９２．３１（％）
これにより、主走査方向の変倍率は９７．１％、副走査方向の変倍率は９２．３１％となる（図１０（１）、（２））。この算出結果（図１０（１）、（２））に基づき、画像補正処理は、各方向においてそれぞれの算出結果の変倍率により印刷処理を行うこととする。そのため、同変倍率を印刷処理時に使用する変倍率として反映する（図１３（１）、（２））。
こうして、実施例２では、実施例１にあって、温度に差異がある場合は、印刷時の用紙の伸縮率を算出し、また同算出値から画像データの補正処理を行うための変倍率を算出する。これにより、印刷される前に印刷時の用紙の伸縮率を予め把握することができる。また同伸縮に対する画像データの補正処理を行うための変倍率を算出し、同算出値を印刷処理時に使用する変倍率として設定する。これにより、本来の寸法通りの画像で印刷できる。
【実施例３】
【００１１】
実施例３として、現在の（印刷処理時に使用する）変倍率の設定内容が図１４（１）、（２）の通り各方向とも１００％の場合で説明する。実施例２において、算出された変倍率を印刷処理時に使用する変倍率として反映する前に、現在の印刷処理時に使用する変倍率の設定内容を図１５（１）、（２）の通り（一時的に）退避（コピー）しておく。
その後、図１０の通り算出した変倍率を、印刷処理時に使用する変倍率として反映する（図１６）。印刷後には、図１５の一時的に退避しておいた変倍率の内容を、図１７の通り印刷処理時に使用する変倍率として反映する（復帰する）。
図１８は、動作フローであって図１２と同様の構成を有する。すなわち、ページデータ作成済か否か判断し（Ｓ１８１）、作成済ならば次処理へ作成済でないときページデータを作成する（Ｓ１８２）。次いで、温度センサにより定着ユニットの温度を確認し（Ｓ１８３）、目的の温度と同等か比較し（Ｓ１８４）、伸縮率を算出し（Ｓ１８５）、伸縮率より変倍率を求め（Ｓ１８６）、次いで、現在の変倍率の設定内容を一時的に退避しＳ１８７）、算出された変倍率を印刷処理に反映する（Ｓ１８８）。この後、図１９にて、退避した変倍率を現在の変倍率として設定する（Ｓ１８９）。
こうして実施例３では、実施例２において、算出した変倍率を新たに設定する前に、現在の印刷処理時に使用する変倍率を一時的に退避（コピー）する。印刷後に、退避しておいた値を現在の設定値として復帰する。これにより、印刷前の環境（変倍率の設定）を変更せずに、画像データの補正処理が実行できる。
【実施例４】
【００１２】
実施例２において、図１２におけるステップ（Ｓ２４以後）での画像補正処理を行うかどうかを図１に示す表示部８により予め設定できるようにする。この画像補正処理を行うよう設定された場合は、図２０（１）に示す通り、同処理を行う動作モードを設定する。画像補正処理を行わないよう設定された場合は、図２０（２）に示す通り、同処理を行わない動作モードを設定する。
図２１は、動作フローであって図１２と同様の構成を有する。すなわち、ページデータ作成済か否か判断し（Ｓ２１１）、作成済ならば次処理へ作成済でないときページデータを作成する（Ｓ２１２）。次いで、画像補正処理を行うモードか否か判断し（Ｓ２１３）、温度センサにより定着ユニットの温度を確認し（Ｓ２１４）、伸縮率を算出し（Ｓ２１５）、伸縮率より変倍率を求め（Ｓ２１６）、次いで、算出された変倍率を印刷処理に反映する（Ｓ２１７）。
こうして、実施例４では、実施例２において、印刷時に画像処理の補正を行うかどうか予め操作パネルで設定できることとする。これにより、ユーザの判断により同補正処理を有効、または無効を設定できる。
【実施例５】
【００１３】
実施例２において、画像データの補正処理を行ったことを図２２の通り、メッセージとして表示部８に表示する。
図２３は、動作フローであって図１２と同様の構成を有する。すなわち、ページデータ作成済か否か判断し（Ｓ２３１）、作成済ならば次処理へ作成済でないときページデータを作成する（Ｓ２３２）。次いで、画像補正処理を行うモードか否か判断し（Ｓ２３３）、温度センサにより定着ユニットの温度を確認し（Ｓ２３４）、伸縮率を算出し（Ｓ２３５）、伸縮率より変倍率を求め（Ｓ２３６）、次いで、算出された変倍率を印刷処理に反映する（Ｓ２３７）。この後、パネルの表示部にメッセージを表示する（Ｓ２３８）。
こうして、実施例５では、実施例２において、印刷時に画像データの補正処理を行ったことをメッセージとして操作パネルに表示する。これにより、ユーザが同補正処理を行ったことを認識できる。
【実施例６】
【００１４】
実施例２において、画像データの補正処理を行ったことを図２４の通りホスト側に出力する。図２５は、動作フローであって図１２と同様の構成を有する。すなわち、ページデータ作成済か否か判断し（Ｓ２５１）、作成済ならば次処理へ作成済でないときページデータを作成する（Ｓ２５２）。次いで、画像補正処理を行うモードか否か判断し（Ｓ２５３）、温度センサにより定着ユニットの温度を確認し（Ｓ２５４）、伸縮率を算出し（Ｓ２５５）、伸縮率より変倍率を求め（Ｓ２５６）、次いで、算出された変倍率を印刷処理に反映する（Ｓ２５７）。この後、ホスト側にメッセージを表示する（Ｓ２５８）。
こうして、実施例６では、実施例２において、印刷時に画像データの補正処理を行ったことをホスト側に出力する。これにより、ホスト側で補正処理を行ったことを認識できる。
【実施例７】
【００１５】
実施例２において、画像データの補正処理を行ったことを図２６の通り、サマリーシートの履歴情報として保存する。次にサマリーシートが出力される場合は、同情報を元に履歴情報を印刷するため、図２７の通りサマリーシートに履歴として印刷される。図２８は、動作フローであって図１２と同様の構成を有する。すなわち、ページデータ作成済か否か判断し（Ｓ２８１）、作成済ならば次処理へ作成済でないときページデータを作成する（Ｓ２８２）。次いで、画像補正処理を行うモードか否か判断し（Ｓ２８３）、温度センサにより定着ユニットの温度を確認し（Ｓ２８４）、伸縮率を算出し（Ｓ２８５）、伸縮率より変倍率を求め（Ｓ２８６）、次いで、算出された変倍率を印刷処理に反映する（Ｓ２８７）。この後、サマリーシートの履歴として情報を保存する（Ｓ２８８）。
こうして、実施例７では、実施例２において、印刷時に画像データの補正処理を行ったことをサマリーシートに履歴として印刷する。これにより、ユーザが同補正処理を行ったことを認識できる。
【実施例８】
【００１６】
実施例４において、画像データの補正処理を行うモードか行わないモードかを図２９の通り、メッセージとしてパネルに表示する。図３０は、動作フローであって図１２と同様の構成を有する。すなわち、ページデータ作成済か否か判断し（Ｓ３０１）、作成済ならば次処理へ作成済でないときページデータを作成する（Ｓ３０２）。次いで、画像補正処理を行うモードか否か判断し（Ｓ３０３）、温度センサにより定着ユニットの温度を確認し（Ｓ３０４）、伸縮率を算出し（Ｓ３０５）、伸縮率より変倍率を求め（Ｓ３０６）、次いで、算出された変倍率を印刷処理に反映する（Ｓ３０７）。この後、パネルの表示部に動作モードを表示する（Ｓ３０８）。
こうして、実施例８では、実施例４において、設定した内容により画像データの補正処理を行うのか行わないかの動作モードの内容を操作パネルに表示する。これにより、ユーザが画像補正処理を行う動作モードなのか容易に認識できる。
【実施例９】
【００１７】
印刷機が印刷可能な範囲の定着部６の温度限界値を図３１に示す通り、この場合１５０度とする。実施例１において、動作例として温度センサ１１により認識した定着部６の温度を図３２に示す通り１６０度の場合で説明する。この認識した温度が図３１の温度よりも低いか確認する。認識した温度は１６０度のため、先（図３１）の限界値１５０度を越える。この場合、印刷処理を行わないこととすると判断する。
図３３は、動作フローであって図１２と同様の構成を有する。すなわち、ページデータ作成済か否か判断し（Ｓ３３１）、作成済ならば次処理へ作成済でないときページデータを作成する（Ｓ３３２）。次いで、温度センサにより定着ユニットの温度を確認し（Ｓ３３３）、限界の温度より低いか否か判断し（Ｓ３３４）、低い時目的の温度と同等か比較し（Ｓ３３５）、伸縮率を算出し（Ｓ３３６）、伸縮率より変倍率を求め（Ｓ３３７）、次いで、現在の変倍率の設定内容を一時的に退避し（Ｓ３３８）、算出された変倍率を印刷処理に反映する（Ｓ３３９）。ステップＳ３３４にて低くないとき印刷処理を中止すろ（Ｓ３４０）。
こうして、実施例９では、実施例１において、温度センサにより認識した定着部の温度が異常（所定の温度を越えた場合）と判断した場合は、印刷処理を行わないこととする。これにより、これ以上の温度上昇を防ぐとともに印刷機内の温度上昇も防ぐ。
【実施例１０】
【００１８】
実施例９において、印刷処理を行わない場合は、ジョブキャンセルを実行する。図３４は、動作フローであって図１２と同様の構成を有する。すなわち、ページデータ作成済か否か判断し（Ｓ３４１）、作成済ならば次処理へ作成済でないときページデータを作成する（Ｓ３４２）。次いで、温度センサにより定着ユニットの温度を確認し（Ｓ３４３）、限界の温度より低いか否か判断し（Ｓ３４４）、低い時目的の温度と同等か比較し（Ｓ３４５）、伸縮率を算出し（Ｓ３４６）、伸縮率より変倍率を求め（Ｓ３４７）、次いで、現在の変倍率の設定内容を一時的に退避し（Ｓ３４８）、算出された変倍率を印刷処理に反映する（Ｓ３４９）。ステップＳ３４４にて低くないとき印刷処理を中止しジョブキャンセルを実行する（Ｓ３５０）。
この実施例１０では、実施例９により印刷時に印刷処理を行わないと判断された場合、同印刷処理を中止（ジョブキャンセル）することとする。これにより、先の異常な状態で起こり得る画像の劣化による印刷を防ぐ。
【実施例１１】
【００１９】
実施例１０において、ジョブキャンセルを実行したことを図３５の通り、メッセージとして表示部８に表示する。図３６は、動作フローであって図１２と同様の構成を有する。すなわち、ページデータ作成済か否か判断し（Ｓ３６１）、作成済ならば次処理へ作成済でないときページデータを作成する（Ｓ３６２）。次いで、温度センサにより定着ユニットの温度を確認し（Ｓ３６３）、限界の温度より低いか否か判断し（Ｓ３６４）、低い時目的の温度と同等か比較し（Ｓ３６５）、伸縮率を算出し（Ｓ３６６）、伸縮率より変倍率を求め（Ｓ３６７）、次いで、現在の変倍率の設定内容を一時的に退避し（Ｓ３６８）、算出された変倍率を印刷処理に反映する（Ｓ３６９）。ステップＳ３６４にて低くないとき印刷処理を中止しジョブキャンセルを実行し（Ｓ３７０）、次いでパネルにメッセージを表示する（Ｓ３７１）。
この実施例１１では、実施例１０において、印刷処理を中止（ジョブキャンセル）したことをメッセージとして操作パネルに表示することとする。これにより、ユーザが同印刷処理を中止したことを認識できる。
【実施例１２】
【００２０】
実施例１０において、ジョブキャンセルを実行したことを図３７の通りホスト側に出力する。図３８は、動作フローであって図１２と同様の構成を有する。すなわち、ページデータ作成済か否か判断し（Ｓ３８１）、作成済ならば次処理へ作成済でないときページデータを作成する（Ｓ３８２）。次いで、温度センサにより定着ユニットの温度を確認し（Ｓ３８３）、限界の温度より低いか否か判断し（Ｓ３８４）、低い時目的の温度と同等か比較し（Ｓ３８５）、伸縮率を算出し（Ｓ３８６）、伸縮率より変倍率を求め（Ｓ３８７）、次いで、現在の変倍率の設定内容を一時的に退避し（Ｓ３８８）、算出された変倍率を印刷処理に反映する（Ｓ３８９）。ステップＳ３８４にて低くないとき印刷処理を中止しジョブキャンセルを実行し（Ｓ３９０）、次いでホスト側にメッセージを表示する（Ｓ３９１）。
この実施例１２では、実施例１０において、印刷処理を中止（ジョブキャンセル）したことをホスト側に出力することとする。これにより、ホスト側で同印刷処理を中止したことを認識できる。
【実施例１３】
【００２１】
実施例１０において、ジョブキャンセルを実行したことを図３９の通りサマリーシートの履歴情報として保存する。次にサマリーシートが出力される場合は、同情報を元に履歴情報を印刷するため、図４０の通りサマリーシートに履歴として印刷される。図４１は、動作フローであって図１２と同様の構成を有する。すなわち、ページデータ作成済か否か判断し（Ｓ４１１）、作成済ならば次処理へ作成済でないときページデータを作成する（Ｓ４１２）。次いで、温度センサにより定着ユニットの温度を確認し（Ｓ４１３）、限界の温度より低いか否か判断し（Ｓ４１４）、低い時目的の温度と同等か比較し（Ｓ４１５）、伸縮率を算出し（Ｓ４１６）、伸縮率より変倍率を求め（Ｓ４１７）、次いで、現在の変倍率の設定内容を一時的に退避し（Ｓ４１８）、算出された変倍率を印刷処理に反映する（Ｓ４１９）。ステップＳ４１４にて低くないとき印刷処理を中止しジョブキャンセルを実行し（Ｓ４２０）、次いでサマリーシートの履歴として情報を保存する（Ｓ４２１）。
この実施例１３では、実施例１０において、印刷処理を中止（ジョブキャンセル）したことをサマリーシートに履歴として印刷する。これにより、ユーザが同補正処理を中止したことを認識できる。
【産業上の利用可能性】
【００２２】
以上のように、本発明にかかる印刷機は、用紙の伸縮に対する画像データ補正機能を有するレーザープリンタ、インクジェットプリンタ、複写機、ファクシミリ等に有用である。
【図面の簡単な説明】
【００２３】
【図１】本発明の実施の形態に係る印刷機の機能ブロック図である。
【図２】目的の温度の情報の一例を示す図である。
【図３】認識された温度の情報の一例を示す図である。
【図４】伸縮率の算出式の記憶内容の一例を示す図である。
【図５】算出した伸縮率の情報の一例を示す図である。
【図６】伸縮率の算出式の記憶内容の一例を示す図である。
【図７】各種係数の一例を示す図である。
【図８】算出した伸縮率の情報の一例を示す図である。
【図９】変倍率の算出式の記憶内容の一例を示す図である。
【図１０】算出した変倍率の一例を示す図である。
【図１１】第１の制御例を示すフローチャートである。
【図１２】図１１のＡにおける第１の制御例を示すフローチャートである。
【図１３】印刷処理時に使用する変倍率の一例を示す図である。
【図１４】印刷処理時に使用する変倍率の一例を示す図である。
【図１５】一時的に退避した変倍率の一例を示す図である。
【図１６】印刷処理時に使用する変倍率の一例を示す図である。
【図１７】印刷処理時に使用する変倍率の一例を示す図である。
【図１８】図１１のＡにおける第２の制御例を示すフローチャートである。
【図１９】図１１のＢにおける制御例を示すフローチャートである。
【図２０】動作モードの情報の一例を示す図である。
【図２１】図１１のＡにおける第３の制御例を示すフローチャートである。
【図２２】表示部の表示の一例を示す図である。
【図２３】図１１のＡにおける第４の制御例を示すフローチャートである。
【図２４】ホスト側の表示の一例を示す図である。
【図２５】図１１のＡにおける第５の制御例を示すフローチャートである。
【図２６】履歴情報の一例を示す図である。
【図２７】サマリーシートの印刷結果の一例を示す図である。
【図２８】図１１のＡにおける第６の制御例を示すフローチャートである。
【図２９】表示部の表示の一例を示す図である。
【図３０】図１１のＡにおける第７の制御例を示すフローチャートである。
【図３１】温度の限界値の情報の一例を示す図である。
【図３２】認識された温度の情報の一例を示す図である。
【図３３】図１１のＡにおける第８の制御例を示すフローチャートである。
【図３４】図１１のＡにおける第９の制御例を示すフローチャートである。
【図３５】表示部の表示の一例を示す図である。
【図３６】図１１のＡにおける第１０の制御例を示すフローチャートである。
【図３７】ホスト側の表示の一例を示す図である。
【図３８】図１１のＡにおける第１１の制御例を示すフローチャートである。
【図３９】履歴情報の一例を示す図である。
【図４０】サマリーシートの印刷結果の一例を示す図である。
【図４１】１１のＡにおける第１２の制御例を示すフローチャートである。
【符号の説明】
【００２４】
２  ＣＰＵ(制御手段)
６  定着部
８  表示部(操作パネル)
１１  温度センサ
【図１】
2005062576.tif 000003
【図２】
2005062576.tif 000004
【図３】
2005062576.tif 000005
【図４】
2005062576.tif 000006
【図５】
2005062576.tif 000007
【図６】
2005062576.tif 000008
【図７】
2005062576.tif 000009
【図８】
2005062576.tif 000010
【図９】
2005062576.tif 000011
【図１０】
2005062576.tif 000012
【図１１】
2005062576.tif 000013
【図１２】
2005062576.tif 000014
【図１３】
2005062576.tif 000015
【図１４】
2005062576.tif 000016
【図１５】
2005062576.tif 000017
【図１６】
2005062576.tif 000018
【図１７】
2005062576.tif 000019
【図１８】
2005062576.tif 000020
【図１９】
2005062576.tif 000021
【図２０】
2005062576.tif 000022
【図２１】
2005062576.tif 000023
【図２２】
2005062576.tif 000024
【図２３】
2005062576.tif 000025
【図２４】
2005062576.tif 000026
【図２５】
2005062576.tif 000027
【図２６】
2005062576.tif 000028
【図２７】
2005062576.tif 000029
【図２８】
2005062576.tif 000030
【図２９】
2005062576.tif 000031
【図３０】
2005062576.tif 000032
【図３１】
2005062576.tif 000033
【図３２】
2005062576.tif 000034
【図３３】
2005062576.tif 000035
【図３４】
2005062576.tif 000036
【図３５】
2005062576.tif 000037
【図３６】
2005062576.tif 000038
【図３７】
2005062576.tif 000039
【図３８】
2005062576.tif 000040
【図３９】
2005062576.tif 000041
【図４０】
2005062576.tif 000042
【図４１】
2005062576.tif 000043